(57)【要約】【課題】既設の手摺に沿って椅子を設置する場合に、活用できる床面積を最大限に拡げることができる手摺用背もたれを提供する。【解決手段】建物の壁面１６に突設したブラケット１７に支持される手摺１２に対して、取り外し自在に取り付ける手摺用背もたれ１１であって、該手摺用背もたれ１１は、手摺１２に引っ掛ける係止部１３と、該係止部１３が取り付けられ手摺１２の長手方向に沿って長板状に形成される背もたれ部１４と、該背もたれ部１４の裏面の下部に長手方向に沿って設けられる隙間調整部１５とから構成される。【選択図】図２
2012200321.tif 000002
【特許請求の範囲】
【請求項１】
建物の壁面に突設したブラケットに支持される手摺に対して、取り外し自在に取り付ける手摺用背もたれであって、
該手摺用背もたれは、前記手摺に引っ掛ける係止部と、該係止部が取り付けられ前記手摺の長手方向に沿って長板状に形成される背もたれ部と、該背もたれ部の裏面の下部に長手方向に沿って設けられる隙間調整部とから構成されること
を特徴とする手摺用背もたれ。
【請求項２】
背もたれ部の上部には、当該背もたれ部の裏側を遮蔽するための目隠し部材が配設されること
を特徴とする請求項１に記載の手摺用背もたれ。
【請求項３】
隙間調整部は、壁面に貼着されること
を特徴とする請求項１に記載の手摺用背もたれ。
【発明の詳細な説明】
【技術分野】
【０００１】
本発明は、病院や老人福祉施設等の廊下、待合室、又はホール等の壁面に設置された手摺に対して、取り外し自在に取り付ける手摺用背もたれに関するものである。
【背景技術】
【０００２】
従来、病院や老人福祉施設等の廊下、待合室、又はホール等の壁面には、手摺が設置されているが、部屋の配置換えや間取り変更等の諸事情によって、当該手摺の設置位置に背もたれ付きの椅子の設置を望む場合がある。
【０００３】
その場合は、図４に示すように、壁面１に設置した手摺２に背もたれ３を沿わして椅子４を設置することになる。壁面１と背もたれ３との間には、手摺２とブラケット５の突出幅が無駄なスペース６として存在し、換言すれば、そのスペース６の幅だけ当該背もたれ３付きの椅子４が前方に出っ張った状態で設置されることになる。
【０００４】
なお、実用新案登録第３０５０８８６号公報には、背もたれが着脱自在な椅子に関する考案が開示されており（特許文献１参照）、また、特開２０００−２６５６３５号公報には、可倒式の手摺に関する発明が開示されている（特許文献２参照）。
【先行技術文献】
【特許文献】
【０００５】
【特許文献１】実用新案登録第３０５０８８６号公報
【特許文献２】特開２０００−２６５６３５号公報
【発明の概要】
【発明が解決しようとする課題】
【０００６】
この従来例の場合においては、上述のように、壁面１と背もたれ３との間に無駄なスペース６が存在して、その幅の分だけ背もたれ３付きの椅子４が前方に出っ張ることとなるので、本来活用できる床面積が狭くなるという問題点を有している。
【０００７】
一方、壁面１の手摺２とブラケット５を撤去すれば、壁面１に背もたれ３を沿わして椅子４を設置できる。しかしながら、再度の間取り変更等で手摺２が必要になることがあり、その場合は、再び手摺の取付工事が必要であって、作業手間が掛かって厄介である。
【０００８】
従って、従来例における場合においては、手摺２とブラケット５を撤去せずに、無駄なスペース６を解消して、活用できる床面積を最大限に拡げることに解決しなければならない課題を有している。
【課題を解決するための手段】
【０００９】
前記従来例の課題を解決するための本発明の要旨は、建物の壁面に突設したブラケットに支持される手摺に対して、取り外し自在に取り付ける手摺用背もたれであって、該手摺用背もたれは、前記手摺に引っ掛ける係止部と、該係止部が取り付けられ前記手摺の長手方向に沿って長板状に形成される背もたれ部と、該背もたれ部の裏面の下部に長手方向に沿って設けられる隙間調整部とから構成されることである。
【００１０】
また、前記背もたれ部の上部には、当該背もたれ部の裏側を遮蔽するための目隠し部材が配設されること、；
前記隙間調整部は、壁面に貼着されること、；
を含むものである。
【発明の効果】
【００１１】
本発明に係る手摺用背もたれによれば、既設の手摺に沿って椅子を設置する場合に、従来例のように手摺とブラケットの突出幅が無駄なスペースにならないので、手摺とブラケットを撤去せずに、活用できる床面積を最大限に拡げることができる。
また、椅子の設置位置の変更が容易にできることとなり、レイアウトの自由度が大幅に向上するという種々の優れた効果を奏する。
【００１２】
背もたれ部の上部には、当該背もたれ部の裏側を遮蔽するための目隠し部材が配設されることによって、手摺用背もたれの裏側が隠れるので、意匠的な見映えがよいという優れた効果を奏する。
【００１３】
隙間調整部は、壁面に貼着されることによって、背もたれ部のズレやガタ付きが生じないという優れた効果を奏する。
【図面の簡単な説明】
【００１４】
【図１】本発明に係る手摺用背もたれ１１と、壁面１６に設けられた手摺１２の側面図である。
【図２】本発明に係る手摺用背もたれ１１の使用状態を示す側面図である。
【図３】本発明に係る手摺用背もたれ１１の背面図である。
【図４】従来例に係る無駄なスペース６を説明するための、手摺２と背もたれ３付きの椅子４の側面図である。
【発明を実施するための形態】
【００１５】
次に、本発明の実施の形態について図面を参照しながら説明する。まず、図１から図３において、符号１１は手摺用背もたれを示し、この手摺用背もたれ１１は、手摺１２に引っ掛ける係止部１３と、係止部１３が取り付けられる背もたれ部１４と、背もたれ部１４の裏面の下部に長手方向に沿って設けられる隙間調整部１５とから構成される。
【００１６】
手摺用背もたれ１１は、壁面１６の複数箇所に突設したブラケット１７に支持される所要長さの手摺１２に対して、取り外し自在に取り付ける。このように取り付けた手摺用背もたれ１１は、図２に示すように、背もたれが無いタイプの椅子１９を壁面１６に沿って設置して使用する。
【００１７】
係止部１３は、略コ字状に形成された引っ掛け金具であり、長めの取付片１３ａと、取付片１３ａの上端から直角に延出する上部１３ｂと、上部１３ｂの先端部から垂設する短めの先端片１３ｃとからなる。取付片１３ａと先端片１３ｃとの間隔は、手摺１２の幅に応じて形成される。
【００１８】
このような形状の係止部１３は、図３に示すように、背もたれ部１４の裏面の上部近傍に適宜な間隔を開けて複数箇所、例えば３箇所にビス止め手段によって取り付けられる。
【００１９】
係止部１３を手摺１２に引っ掛ける場合は、先端片１３ｃと取付片１３ａとの間に手摺１２を嵌め込む。
【００２０】
背もたれ部１４は、手摺１２の長手方向に沿って長板状に形成され、木製又は合成樹脂製等の下地材の上面に合成皮革等の表面材を張設して形成される。表側には、表面材と下地材との間にクッション材を介在させる。
【００２１】
なお、背もたれ部１４の上部には、当該背もたれ部１４の裏側を遮蔽するための目隠し部材１８を設けてもよい（図１参照）。この場合は、手摺用背もたれ１１の裏側の構造が隠れるので、意匠的な見映えがよい。
【００２２】
あるいは、背もたれ部１４の中央部に短手方向に沿って折り畳み自在なヒンジ部を形成してもよい（図示せず）。この場合は、背もたれ部１４を取り外した時に折り畳んでコンパクトに収納できる。
【００２３】
更には、背もたれ部１４の内部に、ヒーター機構を内蔵させて電源に接続可能な構造にしてもよい（図示せず）。この場合は、暖房装置としての機能が備わることとなる。
【００２４】
隙間調整部１５は、硬質ゴム材、合成樹脂材又は木材等で角柱状に形成され、背もたれ部１４の裏面の下部に長手方向に沿って設けられる。この隙間調整部１５は、図３に示すように、長尺な形状のものであってもよく、あるいは、適宜長さの隙間調整部１５を所定の間隔を開けて連続的に設けてもよい。また、隙間調整部１５の幅は、手摺１２とブラケット１７の突出幅に応じて形成される。
【００２５】
また、隙間調整部１５は、壁面１６に対して、低粘着性の粘着剤を用いて貼り剥がし自在に貼着されることが望ましい。この場合は、背もたれ部１４のズレやガタ付きが生じない。
【００２６】
以上のように構成される手摺用背もたれ１１は、間取り変更等の事情で既設の手摺１２に沿って椅子を設置する場合に、当該手摺１２に手摺用背もたれ１１を取り付けて、背もたれが無いタイプの椅子１９を壁面１６に沿って設置して使用する（図２参照）。
【００２７】
この場合、従来例のように手摺１２とブラケット１７の突出幅が無駄なスペース６にならないので、手摺１２やブラケット１７を撤去せずに、活用できる床面積を最大限に拡げることができる。
【符号の説明】
【００２８】
１    壁面
２    手摺
３    背もたれ
４    椅子
５    ブラケット
６    スペース
１１  手摺用背もたれ
１２  手摺
１３  係止部
１３ａ  取付片
１３ｂ  上部
１３ｃ  先端片
１４  背もたれ部
１５  隙間調整部
１６  壁面
１７  ブラケット
１８  目隠し部材
１９  椅子
【図１】
2012200321.tif 000003
【図２】
2012200321.tif 000004
【図３】
2012200321.tif 000005
【図４】
2012200321.tif 000006